(57)【要約】  例えばカーテン、シーツ、テーブルクロス等の布地を手洗いする改善された方法は、洗濯システムを提供する工程と、水を洗い桶に加える工程と、洗濯洗剤を洗い桶中に分散させる工程と、布地を洗い桶に加える工程と、水と洗濯洗剤を組み合わせることによって洗浄液を形成する工程と、布地を洗浄液中に約３０分〜約１２時間の洗浄時間の間浸漬させた、浸漬さあせた布地を形成する方法と、浸漬させた布地を洗浄液から取り出す工程と、洗浄液を浸漬さあせた布地から除去する工程と、すすぎ組成物をすすぎ桶中の水中に分散させてすすぎ溶液を形成する工程と、浸漬させた布地をすすぎ溶液に加える工程と、浸漬させた布地をすすぎ溶液中に約１分〜約１時間のすすぎ時間の間浸漬させて、すすいだ布地を形成する工程と、すすいだ布地をすすぎ溶液から取り出す工程と、すすぎ溶液をすすいだ布地から除去する工程と、すすいだ布地を乾燥させる工程を含む。洗濯システムは洗濯洗剤及びすすぎ組成物を含有する。洗濯洗剤は、その中に殺菌剤を含有する、一晩の浸漬に好適であり、洗浄液中に細菌で汚染された布地を６時間、２５℃で浸漬させて細菌の増殖を抑制する。【特許請求の範囲】
【請求項１】
布地を手洗いする方法であって、
Ａ．
ｉ．殺菌剤を含む、一晩の浸漬に好適な洗濯洗剤であって、
その洗浄溶液中に細菌で汚染された布地と共に６時間、２５℃で浸漬させて細菌の増殖を抑制する洗濯洗剤、及び
ｉｉ．すすぎ組成物を含む洗濯システムを提供する工程と、
Ｂ．水を洗い桶に加える工程と、
Ｃ．前記洗濯洗剤を前記洗い桶中に分散させる工程と、
Ｄ．布地を前記洗い桶に加える工程と、
Ｅ．前記水と前記洗濯洗剤と組み合わせることによって洗浄液を形成する工程と、
Ｆ．前記布地を前記洗浄液中に約３０分〜約１２時間の洗浄時間の間浸漬させて、浸漬させた布地を形成する工程と、
Ｇ．前記浸漬させた布地を前記洗浄液から取り出す工程と、
Ｈ．前記洗浄液を前記浸漬させた布地から除去する工程と、
Ｉ．前記すすぎ組成物をすすぎ桶中の水中に分散させてすすぎ溶液を形成する工程と、
Ｊ．前記浸漬させた布地を前記すすぎ溶液に加える工程と、
Ｋ．前記浸漬させた布地を前記すすぎ溶液中に約１分〜約１時間のすすぎ時間の間浸漬させて、すすいだ布地を形成する工程と、
Ｌ．前記すすいだ布地を前記すすぎ溶液から取り出す工程と、
Ｍ．前記すすぎ溶液を前記すすいだ布地から除去する工程と、
Ｎ．前記すすいだ布地を乾燥させる工程とを含む、方法。
【請求項２】
前記殺菌剤が、漂白剤、酵素、界面活性剤、及びこれらの混合物からなる群から選択される、請求項１に記載の方法。
【請求項３】
前記洗浄液が、絞ることによって前記浸漬させた布地から除去される、請求項１に記載の方法。
【請求項４】
前記すすぎ溶液が、絞ることによって前記すすいだ布地から除去される、請求項１に記載の方法。
【請求項５】
前記布地が、事前に湿潤させることなく、前記洗い桶に加えられる、請求項１に記載の方法。
【請求項６】
前記すすぎ溶液を攪拌する工程を含む、請求項１に記載の方法。
【請求項７】
前記布地が汚れを含み、前記浸漬させた布地は前記汚れを除去するためにこすり洗いされていない、請求項１に記載の方法。
【請求項８】
前記乾燥させる工程が、前記すすいだ布地を吊るすことを含む、請求項１に記載の方法。
【請求項９】
前記洗浄時間は約１時間〜約１０時間である、請求項１に記載の方法。
【請求項１０】
前記すすぎ時間は約２分〜約３０分である、請求項１に記載の方法。
【請求項１１】
前記浸漬させた布地が前記汚れを除去するためにこすり洗いせず、それによって前記布地の摩耗を低減することにより、前記布地の耐用期間を延ばす、請求項１に記載の方法。
【請求項１２】
前記浸漬させた布地が前記汚れを除去するためにこすり洗いせず、それによってこすり洗いを必要とする通常の手による洗浄方法と比較したとき、手の皮膚擦過傷を低減させる、請求項１に記載の方法。
【請求項１３】
前記洗濯システムが洗濯キットを含み、前記洗濯洗剤及び前記すすぎ組成物が一緒に販売され、前記洗濯キットが所定の数の前記洗濯洗剤の投与量及び所定の数の前記すすぎ組成物の投与量を含む、請求項１に記載の方法。
【請求項１４】
前記浸漬させた布地が前記すすぎ溶液中に１回浸漬されて、水を伴う追加のすすぎ工程が行われない、請求項１に記載の方法。
【請求項１５】
前記殺菌剤が漂白剤である、請求項２に記載の方法。
【請求項１６】
前記洗浄時間は約２時間〜約８時間である、請求項９に記載の方法。
【請求項１７】
前記すすぎ期間は約３分〜約２０分である、請求項１０に記載の方法。
【請求項１８】
前記洗浄は約４時間〜約７時間である、請求項１６に記載の方法。
【請求項１９】
前記すすぎ期間は約４分〜約１０分である、請求項１７に記載の方法。
【発明の詳細な説明】
【技術分野】
【０００１】
本発明は洗濯方法に関する。特に、本発明は手洗い方法に関する。
【背景技術】
【０００２】
布（cloth）などの布地の手洗いは、面倒な資源集約的な活動である。典型的な既存の手作業の洗濯手順に関して、およそ２杯の桶の水が使用され、すなわち、１つは、洗浄液を使用する前に事前に湿潤させ、こすり洗いするためのものであり、それから１つは、実際の洗浄液（特に通常の洗剤粉末が使用される場合）のためのものである。一般的なすすぎの実施には、３〜５杯の桶の水が消費される。このように、約５〜６杯の桶の水が、最初の湿潤から最後のすすぎまでに使用される。
【０００３】
石けん洗いのプロセスでは一般的に、洗濯洗剤は洗浄液を作るために、桶の中で事前に溶解され、布はそこに浸され及び／又は加えられて、手によって洗濯板、ブラシ、若しくは他のこすり洗い装置等を用いてこすり洗いされて汚れ及び染みを除去する。いくつかの場合では、専用の染み除去剤（例えば、漂白剤、ブラシ、装置等）を用いる事前処置も必要とされる。それが清浄であると認識されるまで、布地の各片が個々にこすり洗いされた後、布地の各布は次いで絞られ、すすぎのために脇に置かれる。一般的な手洗いする人の満足のいくまで、汚れた水、界面活性剤等を除去するためには、大量の水がしばしば必要とされるので、すすぎの工程もまた面倒である。これは、清浄な水を用いて複数回すすぎを必要とする場合があり、特にそのような水が容易に入手できない場合、これは水のコストを増大させ、著しく労力を増加させる。洗剤を布地と一緒に加えるなど、このプロセスに僅かな変化は可能であるが、手洗いが一般的である所では世界中のどこでも、基本的な流れは本質的に同じである。この典型的なプロセスは、したがって、それが他の活動に利用可能な時間、エネルギー、水等の量を低減させるので、非常に時間、労働、及び資源集約的である。
【０００４】
いったん布が湿潤され、浸漬されると、それらは吸収した水の重量を受けることに留意することが重要である。これは、デニムジーンズ、タオル、ベッドシーツ及びカバーを洗浄するときに明かである。ドレープ及びカーテンを手ですすぐことは、まさしく激しく、骨が折れることである。繰り返し布地を浸して、押し付け、こすり洗いし、絞り、水を交換する、この繰り返される長いプロセスは、辛く、骨の折れることである。この困難なプロセスは、多くの人々にとって手作業の洗濯を、辛い毎週の仕事にするものである。
【０００５】
洗濯プロセス中のこすり洗いは、布地がそれ自体に、ブラシに、洗濯板に、硬表面等に対して強くこすりつけられるときに発生する布地の摩耗により、布地の耐用期間が短くなるなど、多くの他の望ましくない副作用も有する。これは、布地をより速く擦り切れさせることつながり（すなわち、擦り切れて及び／又は穴ができる）、それらの色が失われて曇り、特定の布地は、表面の繊維が摩耗されるときなど、それらの光沢を失う場合がある。更に、特定の洗剤プロセスを伴う手作業の洗浄は、特に強い洗剤が使用されたとき、性能向上添加剤が使用されたとき（例えば、塩素漂白剤）、及び／又は多くの布地アイテムが手に回復する時間を与えることなく、頻繁に洗濯される場合において、皮膚の問題、乾燥、発疹、水膨れ等につながる恐れがある。
【０００６】
浸漬洗濯は、こすり洗いの必要性を低減するのに役立つということは周知であるものの、手による洗浄の洗濯洗剤を用いる多くの場合において、汚れた布、例えばシーツなどを数分超浸漬することは、実際に悪臭の増加となる場合がある。これは、布地、特にシーツ及び靴下が洗浄液に加えられたとき、それらに悪臭の主な原因となる細菌が移されるためである。多くの一般的な手による洗浄の洗濯洗剤は、細菌の増殖を抑制させる及び／又は殺菌するために十分な殺菌剤を含有しないということが判明している。したがって、これらの布地を、一般的な手による洗浄洗剤で作られた洗濯溶液中に浸漬することは実際に、数時間後には洗い桶全体が、細菌の増殖副生成物（例えば、ｉｓｏｖａｌｏｒｉｃ（イソペンタン酸）酸、尿素、メチルフェノールなどの酸、及び脂肪酸）の匂いを発する点まで更なる細菌の増殖を促進する。そのような布が一晩、十分でない酵素及び／又は界面活性剤を含有する洗浄液中に置かれた場合、洗い桶全体及び周囲は翌朝には非常に臭うであろう。したがって、適切なタイプの洗浄液中に浸漬することは、汚れを除去し、悪臭及び／又は細菌の増殖も防ぐ両方のために必須であるということが今では判明している。
【０００７】
しかしながら、浸漬のみでは、すすぎ段階における水、及び労力の低減の必要性に対処しない。対照的に、すすぎに必要とされる労力及び水の量を低減するすすぎ製品が当該技術分野において既知であるが、これらも同様に、それらのみではこすり洗いの低減に対する必要性に対処しない。
【発明の概要】
【発明が解決しようとする課題】
【０００８】
したがって、手洗いプロセスを総合的に改善するシステム及び方法に対する必要性が依然として存在する。
【課題を解決するための手段】
【０００９】
本発明は、改善された洗濯システムを使用して布地を洗濯する、改善された方法に関する。本方法は、洗濯システムを提供する工程と、水を洗い桶に加える工程と、洗濯洗剤を洗い桶中に分散させる工程と、布地を洗い桶に加える工程と、水と洗濯洗剤を組み合わせることによって洗浄液を形成する工程と、布地を洗浄液中に約３０分〜約１２時間の洗浄時間の間浸漬させて、浸漬させた布地を形成する工程と、浸漬させた布地を洗浄液から取り出す工程と、洗浄液を浸漬させた布地から除去する工程と、すすぎ組成物をすすぎ桶中の水中に分散させてすすぎ溶液を形成する工程と、浸漬させた布地をすすぎ溶液に加える工程と、浸漬させた布地をすすぎ溶液中に約１分〜約１時間のすすぎ時間の間浸漬させて、すすいだ布地を形成する工程と、すすいだ布地をすすぎ溶液から取り出す工程と、すすぎ溶液をすすいだ布地から除去する工程と、すすいだ布地を乾燥させる工程を含む。本洗濯システムは洗濯洗剤及びすすぎ組成物を含有する。洗濯洗剤は、その中に殺菌剤を含有する、一晩の浸漬に好適であり、洗浄液中に細菌で汚染された布地を６時間、２５℃で浸漬させて細菌の増殖を抑制する。
【００１０】
改善された布地洗濯方法は、大半のこすり洗いに対する必要性を低減又は解消することによって手作業の労力を低減する、並びに、標準の洗濯及び／又はすすぎプロセスに要求される水の使用を低減するという両方ができるということが今では判明している。驚いたことに、これが達成される一方で、それが長時間浸漬されたままであるとき、洗浄液中の細菌の増殖によって発生する悪臭も回避する。更に、こすり洗いの低減は布地の摩耗を低減するのに役立ち、布を長持ちさせ、より長い時間、新しく見える布となる。改善された布地の洗濯方法は、洗濯プロセス中にこすり洗いの必要性を低減する、又は更には排除することもでき、これにより、通常のこすり洗いプロセスと比較して、手及び／又は皮膚擦過傷を低減する。
【発明を実施するための形態】
【００１１】
本明細書における全ての温度は、特記されない限り摂氏（℃）である。本明細書で使用するとき、用語「含む」は、最終結果に悪影響を与えない他の工程、成分、要素などが加えることができることを意味する。この用語は、「からなる」及び「から本質的になる」という用語を包含する。本明細書における全ての条件は、特に明記されない限り、２５℃及び大気圧である。特に明記されない限り、全ての比率、百分率等は、最終組成物の重量による。特に明記されない限り、本明細書における成分及び／又は機器は、世界中の多くの供給業者及び供給源から入手可能であると考えられる。
【００１２】
本明細書で使用されるとき、用語「事前に湿潤させる」は、洗浄液に加える前に布地に水を特に加えることを意味する。これは、布地を水に浸すこと、沈ませること、浸水させること等によって達成できる。
【００１３】
本発明は、例えば布、カーテン、シーツ、テーブルクロス等の布地の手による洗浄のための改善された洗濯方法である。本方法は、洗濯システムを提供する工程と、水を洗い桶に加える工程と、洗濯洗剤を洗い桶中に分散させる工程と、布地を洗い桶に加える工程と、水と洗濯洗剤を組み合わせることによって洗浄液を形成する工程と、布地を洗浄液中に約３０分〜約１２時間の洗浄時間の間浸漬させて、浸漬させた布地を形成する工程と、浸漬させた布地を洗浄液から取り出す工程と、洗浄液を浸漬させた布地から除去する工程と、すすぎ組成物をすすぎ桶中の水中に分散させてすすぎ溶液を形成する工程と、浸漬させた布地をすすぎ溶液に加える工程と、浸漬させた布地をすすぎ溶液中に約１分〜約１時間のすすぎ時間の間浸漬させて、すすいだ布地を形成する工程と、すすいだ布地をすすぎ溶液から取り出す工程と、すすぎ溶液をすすいだ布地から除去する工程と、すすいだ布地を乾燥させる工程を含む。本洗濯システムは洗濯洗剤及びすすぎ組成物を含有する。洗濯洗剤は、その中に殺菌剤を含有する、一晩の浸漬に好適であり、洗浄液中に細菌で汚染された布地を６時間、２５℃で浸漬させて細菌の増殖を抑制する。
【００１４】
本方法における改善は、全体的に、包括的によりよい洗浄経験を提供するための、特定の高性能洗濯洗剤とすすぎ組成物の組み合わせであり、これは優れた結果をもたらすと同時に、労力、資源、及び／又はコストを節約する。洗濯洗剤は一晩の浸漬に好適であり、これは、本明細書において記載されるように、洗濯洗剤が細菌の増殖を少なくとも抑制するために十分な殺菌剤を含有しなければならないということを意味する。長期間の浸漬状況における細菌の増殖を主に抑制する典型的な洗濯洗剤は、例えば、漂白剤、酵素、界面活性剤、及びこれらの混合物から、又は漂白剤、界面活性剤、及びこれらの混合物、又は漂白剤及びこの混合物から選択される。
【００１５】
洗濯洗剤は、触媒金属錯体、過酸素源、漂白活性化剤、漂白促進剤、光漂白剤、フリーラジカル反応開始剤、次亜ハロゲン酸漂白剤、及びこれらの混合物、又は過酸素源、漂白活性化剤、次亜ハロゲン酸漂白剤、及びこれらの混合物からなる群から選択される漂白剤を殺菌剤として含有してもよい。好適な触媒金属錯体の例には、米国特許第５，５７６，２８２号に開示のＭｎＩＶ２（ｕ−Ｏ）３（１，４，７−トリメチル−１，４，７−トリアザシクロノナン）２（ＰＦ６）２のようなマンガン系触媒、式［Ｃｏ（ＮＨ３）５ＯＡｃ］Ｔｙ（式中、「ＯＡｃ」はアセテート部分を表し、「Ｔｙ」はアニオンである）を有するコバルトペンタアミンアセテート塩のような米国特許第５，５９７，９３６号に開示のコバルト系触媒、「ＭＲＬ」と略されるマクロ多環式リジッドリガンド（macropolycyclic rigid ligand）の遷移金属錯体が挙げられるがこれらに限定されない。ＭＲＬにおける適した金属としては、様々な酸化状態にある、Ｍｎ、Ｆｅ、Ｃｏ、Ｎｉ、Ｃｕ、Ｃｒ、Ｖ、Ｍｏ、Ｗ、Ｐｄ、及びＲｕが挙げられる。好適なＭＲＬの例としては、ジクロロ−５，１２−ジエチル−１，５，８，１２−テトラアザビシクロ［６．６．２］ヘキサデカンマンガン（ＩＩ）、ジクロロ−５，１２−ジエチル−１，５，８，１２−テトラアザビシクロ［６．６．２］ヘキサデカンマンガン（ＩＩＩ）ヘキサフルオロホスフェート、及びジクロロ−５−ｎ−ブチル−１２−メチル−１，５，８，１２−テトラアザビシクロ［６．６．２］ヘキサデカンマンガン（ＩＩ）が挙げられる。適した遷移金属ＭＲＬは、既知の手順、例えば、国際公開第００／３３２６０１号及び米国特許第６，２２５，４６４号で教示されているような手順によって容易に調製される。
【００１６】
好適な過酸素源としては、予め形成された過酸、漂白活性化剤と組み合わせた過酸化水素源、又はこれらの混合物が挙げられる。好適な予め形成された過酸には、過カルボン酸及び塩、過炭酸及び塩、過イミド酸及び塩、ペルオキシモノ硫酸及び塩、並びにこれらの混合物からなる群から選択される化合物が挙げられる。過酸化水素の好適な供給源には、過ホウ酸塩化合物、過炭酸塩化合物、過リン酸塩化合物、過ケイ酸塩化合物、及びこれらの混合物、又は過ホウ酸塩化合物、過炭酸塩化合物、及びこれらの混合物からなる群から選択される化合物が挙げられる。過酸素源の適した種類及び濃度は、米国特許第５，５７６，２８２号、同第６，３０６，８１２  Ｂ１号及び同第６，３２６，３４８  Ｂ１号において見出され、これらは参考により組み込まれる。
【００１７】
適した漂白活性化剤としては、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートなどの、過加水分解性エステル及び過加水分解性イミドが挙げられるがこれらに限定されない。
【００１８】
好適な漂白促進剤としては、米国特許第５，８１７，６１４号に記載のものが挙げられるが、これらに限らない。
【００１９】
存在する場合、洗濯洗剤は典型的に、約０．５％〜約３０％、又は約１％〜約２０％，又は約１．５％〜約１０％の漂白剤を含有する。そのような濃度は、一般的な洗濯洗剤の希釈において、本明細書の殺菌剤効果をもたらすのには十分である。実質的な問題として、限定という意図ではないが、明細書における洗剤組成物及び方法は、水性洗浄においてに少なくともおよそ０．０１ｐｐｍ（１億分の１）の触媒金属錯体及び／又は漂白剤促進剤をもたらすよう調製できる。
【００２０】
好適な酵素の例には、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼ又はこれらの組み合わせが挙げられるが、これらに限定されず、並びに、任意の好適な起源のものであり得る。酵素の選択は、ｐＨ活性、最適安定性、熱安定性、対キレート剤安定性、対ビルダー安定性などの要因を考慮に入れる。本明細書で有用な洗浄酵素混合物は、アミラーゼと共に、プロテアーゼ、リパーゼ、クチナーゼ及び／又はセルラーゼである。洗浄酵素は米国特許第６，５７９，８３９号に記載されている一方で、漂白酵素、プロテアーゼ酵素、セルラーゼ酵素、リゾチーム酵素、リパーゼ酵素、及びアミラーゼ酵素は特に細菌の増殖の抑制に向けて適している。
【００２１】
酵素は、洗剤１グラム当たりで、一般に最大約５ｍｇ、より典型的には約０．０１ｍｇ〜約３ｍｇの活性酵素の重量で存在する。別の方法で述べると、本明細書における洗剤は、典型的には、約０．００１重量％〜約５重量％、又は約０．０１重量％〜約２重量％、又は約０．０５重量％〜約１重量％の酵素、一般的には市販の酵素調製物を含有する。プロテアーゼ酵素は、１グラムの洗剤当たり約０．００５〜約０．１ＡＵの活性で存在する。本明細書で有用なプロテアーゼには、バチルス（例えば、サブチリス、レンタス、リケニフォルミス、アミロリケファシエンス（ＢＰＮ、ＢＰＮ’）、アルカロフィルス（alcalophilus））由来のサブチリシンを含むプロテアーゼ、例えば、Ｅｓｐｅｒａｓｅ（登録商標）、Ａｌｃａｌａｓｅ（登録商標）、Ｅｖｅｒｌａｓｅ（登録商標）及びＳａｖｉｎａｓｅ（登録商標）（Ｎｏｖｏｚｙｍｅｓ）、ＢＬＡＰ及び変異型（Ｈｅｎｋｅｌ）が挙げられる。更なるプロテアーゼが、欧州特許第１３０７５６号、国際公開第９１／０６６３７号、同第９５／１０５９１号及び同第９９／２０７２６に記載されている。
【００２２】
アミラーゼ（α及び／又はβ）は、英国特許第１２９６８３９号、国際公開第９４／０２５９７号及び同第９６／２３８７３号に記載されており、Ｐｕｒａｆｅｃｔ  Ｏｘ  Ａｍ（登録商標）（Ｇｅｎｅｎｃｏｒ）、Ｔｅｒｍａｍｙｌ（登録商標）、Ｎａｔａｌａｓｅ（登録商標）、Ｂａｎ（登録商標）、Ｆｕｎｇａｍｙｌ（登録商標）、Ｄｕｒａｍｙｌ（登録商標）（全てＮｏｖｏｚｙｍｅｓ）及びＲＡＰＩＤＡＳＥ（Ｉｎｔｅｒｎａｔｉｏｎａｌ  Ｂｉｏ−Ｓｙｎｔｈｅｔｉｃｓ，Ｉｎｃ）として入手可能である。
【００２３】
本明細書におけるセルラーゼには、最適ｐＨ  ５〜９．５を有する細菌及び／又は真菌セルラーゼが挙げられる。好適なセルラーゼは、米国特許第４，４３５，３０７号（Ｂａｒｂｅｓｇｏａｒｄ，ｅｔ  ａｌ．）（１９８４年３月６日発行）に開示されている。本明細書で有用なセルラーゼには、例えば、Ｈｕｍｉｃｏｌａ  ｉｎｓｏｌｅｎｓ、特にＤＳＭ  １８００菌株、によって生産される細菌及び／又は真菌セルラーゼ、例えば、５０ｋＤ及び４３ｋＤ（Ｃａｒｅｚｙｙｍｅ（登録商標））が挙げられる。同じく好適なセルラーゼ類は、トリコデルマ・ロンギプラチアタム（Trichoderma longibrachiatum）からのＥＧＩＩＩセルラーゼである。Ｎｏｖｏｚｙｍｅｓによる国際公開第０２／０９９０９１号は、洗剤及び衣類用途における使用のためのバチルスｓｐ．ＤＳＭ  １２６４８内因性のエンド−β−グルカナーゼ活性を呈する酵素（ＥＣ３．２．１．４）について記載しており、抗再付着エンド−グルカナーゼは国際公開第０４／０５３０３９号にある。花王の欧州特許第２６５８３２号は、バチルスｓｐ  ＫＳＭ−６３５から単離されるアルカリ性セルラーゼＫ、ＣＭＣａｓｅ  Ｉ及びＣＭＣａｓｅ  ＩＩについて記載している。花王は更に、欧州特許第１３５０８４３号（ＫＳＭ  Ｓ２３７、１１３９、ＫＳＭ  ６４、ＫＳＭ  Ｎ１３１）、同第２６５８３２Ａ号（ＫＳＭ  ６３５、ＦＥＲＭ  ＢＰ  １４８５）及び同第０２７１０４４Ａ号（ＫＳＭ  ５３４、ＦＥＲＭ  ＢＰ  １５０８；ＫＳＭ  ５３９、ＦＥＲＭ  ＢＰ  １５０９；ＫＳＭ  ５７７、ＦＥＲＭ  ＢＰ  １５１０；ＫＳＭ  ５２１、ＦＥＲＭ  ＢＰ１５０７；ＫＳＭ  ５８０、ＦＥＲＭ  ＢＰ  １５１１；ＫＳＭ  ５８８，ＦＥＲＭ  ＢＰ  １５１３；ＫＳＭ  ５９７、ＦＥＲＭ  ＢＰ  １５１４；ＫＳＭ  ５２２、ＦＥＲＭ  ＢＰ  １５１２；ＫＳＭ  ３４４５、ＦＥＲＭ  ＢＰ１５０６；ＫＳＭ  ４２５、ＦＥＲＭ  ＢＰ  １５０５）に、容易に大量生産可能でアルカリ性環境に関して高活性のアルカリ性セルラーゼ／エンド−グルカナーゼを記載している。このようなエンド−グルカナーゼは、上記バチルス種のうちの１つに内因性のポリペプチド（又はその変異型）を含有し得る。他の好適なセルラーゼは、国際公開第０１／０６２９０３号に記載のＸＹＧ１００６などのＰａｅｎｉｂａｃｉｌｕｓ  ｐｏｌｙｘｙｍａからのエンド−β−１，４−グルカナーゼ活性を呈するＦａｍｉｌｙ４４  Ｇｌｙｃｏｓｙｌ  Ｈｙｄｒｏｌａｓｅ酵素（野生型）又はそれらの変異型である。本明細書で有用なカルボヒドラーゼには、例えば、マンナナーゼ（米国特許第６，０６０，２９９号を参照）、ペクチン酸リアーゼ（例えば、国際公開第９９／２７０８３号を参照）、シクロマルトデキストリングルカノトランスフェラーゼ（例えば、国際公開第９６／３３２６７号を参照）、及び／又はキシログルカナーゼ（例えば、国際公開第９９／０２６６３号を参照）が挙げられる。エンハンサーを有する本明細書で有用な漂白酵素には、例えば、ペルオキシダーゼ、ラッカーゼ、オキシゲナーゼ、リポキシゲナーゼ（例えば、国際公開第９５／２６３９３号を参照）及び／又は（非ヘム）ハロペルオキシダーゼが挙げられる。
【００２４】
好適なエンドグルカナーゼには、１）国際公開第０２／０９９０９１号のＳＥＱ  ＩＤ  ＮＯ：２の１〜７７３位のアミノ酸配列と少なくとも９０％又は少なくとも９４％又は少なくとも９７％又は少なくとも９９％又は１００％同一の配列を有するエンド−β−１，４−グルカナーゼ活性を呈する酵素（Ｅ．Ｃ．３．２．１．４）、又はエンド−β−１，４−グルカナーゼ活性を有する断片が挙げられる。ＧＣＧプログラムでＧＡＰにより、３．０のＧＡＰ作製ペナルティと０．１のＧＡＰ伸長ペナルティを使用して同一性を判定する。Ｎｏｖｏｚｙｍｅｓ  Ａ／Ｓによる国際公開第０２／０９９０９１号（２００２年１２月１２日）、例えばＮｏｖｏｚｙｍｅｓ  Ａ／ＳによるＣｅｌｌｕｃｌｅａｎ（商標）を参照されたい。ＧＣＧとは、配列分析ソフトウェアパッケージ（Ａｃｃｅｌｒｙｓ（Ｓａｎ  Ｄｉｅｇｏ，ＣＡ，ＵＳＡ））を指す。ＧＣＧは、Ｎｅｅｄｌｅｍａｎ−Ｗｕｎｓｃｈアルゴリズムを使用して、一致の数を最大化し、不一致の数を最小化する２つの完全な配列の位置合わせを発見するＧＡＰと呼ばれるプログラムを含む。また、２）２００３年１０月８日に公開された欧州特許第１  ３５０  ８４３Ａ号（［００１１］〜［００３９］及び実施例１〜４）に記載のアルカリ性エンドグルカナーゼ酵素が挙げられる。
【００２５】
好適なリパーゼには、Ｐｓｅｕｄｏｍｏｎａｓ及びＣｈｒｏｍｏｂａｃｔｅｒにより製造されるもの、並びにＮｏｖｏｚｙｍｅｓからのＬＩＰＯＬＡＳＥ（登録商標）、ＬＩＰＯＬＡＳＥ  ＵＬＴＲＡ（登録商標）、ＬＩＰＯＰＲＩＭＥ（登録商標）及びＬＩＰＥＸ（登録商標）が挙げられる。商標Ｌｉｐａｓｅ  Ｐ「Ａｍａｎｏ」でＡｒｅａｒｉｏ  Ｐｈａｒｍａｃｅｕｔｉｃａｌ  Ｃｏ．Ｌｔｄ．（日本、名古屋）から入手可能な１９７８年２月２４日に出願が公開された日本特許第５３−２０４８７号も参照されたい。他の市販のリパーゼには、東洋醸造株式会社（日本、田方）から入手可能なＡｍａｎｏ−ＣＥＳ、リパーゼｅｘ  Ｃｈｒｏｍｏｂａｃｔｅｒ  ｖｉｓｃｏｓｕｍ、並びに、Ｕ．Ｓ．Ｂｉｏｃｈｅｍｉｃａｌ  Ｃｏｒｐ．（Ｕ．Ｓ．Ａ．）及びＤｉｏｓｙｎｔｈ  Ｃｏ．（Ｔｈｅ  Ｎｅｔｈｅｒｌａｎｄｓ）からのＣｈｒｏｍｏｂａｃｔｅｒ  ｖｉｓｃｏｓｕｍ  ｌｉｐａｓｅｓ、並びにリパーゼｅｘ  Ｐｓｅｕｄｏｍｏｎａｓ  ｇｌａｄｉｏｌｉが挙げられる。クチナーゼ［ＥＣ  ３．１．１．５０］及びエステラーゼも好適である。
【００２６】
本明細書に酵素が含まれる場合、酵素安定化系もまた存在してもよい。そのような系は当該技術分野において及び当業者に周知である。
【００２７】
本明細書に有用な界面活性剤は、典型的に、アニオン性界面活性剤、非イオン性界面活性剤、カチオン性界面活性剤、双極性界面活性剤、両性界面活性剤、半極性非イオン性界面活性剤、ジェミニ界面活性剤、及びこれらの混合物、又はアニオン性界面活性剤、非イオン性界面活性剤、双極性界面活性剤、及びこれらの混合物、又はアニオン性界面活性剤、非イオン性界面活性剤及びこれらの混合物から選択される。界面活性剤は、典型的に、約１％〜８０％、約５％〜５０％又は約１０％〜３５％存在する。
【００２８】
本明細書で有用なアニオン性界面活性剤は、約６個の炭素原子（Ｃ６）〜約２２個の炭素原子（Ｃ２２）のアルキル鎖長を有し、洗剤処方の当該技術分野において周知である。本明細書で有用なアニオン性界面活性剤の非限定的な例としては、以下のものが挙げられる。  
ａ）直鎖アルキルベンゼンスルホン酸塩（ＬＡＳ）、特に、Ｃ１１〜Ｃ１８  ＬＡＳ、
ｂ）一級、分子鎖、及びランダムアルキルサルフェート（ＡＳ）、特にＣ１０〜Ｃ２０  ＡＳ、
ｃ）式（Ｉ）及び（ＩＩ）を有する二級（２，３）アルキルサルフェート、特にＣ１０〜Ｃ１８二級アルキルサルフェート。
【化１】
2011524473.tif 000002
式（Ｉ）及び（ＩＩ）の中のＭは、水素又はカチオンで電気的中性である。本明細書の目的のために、界面活性剤か補助成分のどちらかと結合しているＭ単位は全て、当業者によって単離される形態又は化合物が使用される系の相対ｐＨによって、水素原子又はカチオンのいずれかであり得る。好ましいカチオンの非限定例としては、ナトリウム、カリウム、アンモニウム、及びこれらの混合物が挙げられる。（式中、ｘは、少なくとも約７又は少なくとも約９の整数であり、ｙは、少なくとも８又は少なくとも約９の整数である）、
ｄ）アルキルアルコキシサルフェート（ＡＥｘＳ）、特に、Ｃ１０〜Ｃ１８  ＡＥｘＳ（式中、ｘは、約１〜約３０、又は約２〜約１０である）、
ｅ）アルキルアルコキシカルボキシレート、特に、Ｃ６〜Ｃ１８アルキルアルコキシカルボキシレート（好ましくは約１〜５のエトキシ単位を含む）、
ｆ）Ｃｒｉｐｅ，ｅｔ  ａｌ．に対して２０００年２月１日に付与された米国特許第６，０２０，３０３号及びＣｒｉｐｅ，ｅｔ  ａｌ．に対して２０００年５月９日に付与された同第６，０６０，４４３号に記載されたような中鎖分枝状アルキルサルフェート、
ｇ）Ｃｒｉｐｅ，ｅｔ  ａｌ．に対して１９９９年１２月２８日に付与された米国特許第６，００８，１８１号及びＣｒｉｐｅ，ｅｔ  ａｌ．らに対して２０００年２月１日に付与された同第６，０２０，３０３号に記載されたような中鎖分枝状アルキルアルコキシサルフェート、
ｈ）メチルエステルスルホネート（ＭＥＳ）、並びに、
ｉ）一級、分枝鎖及びランダムアルキル又はアルケニルカルボキシレート（特に、約６〜約１８個の炭素原子を有するもの）。
【００２９】
一般に、本発明は、最終組成物の約０．１重量％〜約２５重量％、約０．５重量％〜約２０重量％又は約１重量％〜約１７重量％の非イオン性界面活性剤を含有する。非イオン性界面活性剤類の非限定例としては以下が挙げられる：
ａ）Ｓｈｅｌｌ  Ｃｏｒｐ．からのＮＥＯＤＯＬ（登録商標）非イオン性界面活性剤等のＣ１２〜Ｃ１８アルキルエトキシレート、
ｂ）アルコキシレート単位がエチレンオキシ及びプロピレンオキシ単位の混合物である、Ｃ６〜Ｃ１２アルキルフェノールアルコキシレート、
ｃ）ＢＡＳＦ（Ａｋｔｉｅｎｇｅｓｅｌｌｓｃｈａｆｔ）からのＰｌｕｒｏｎｉｃ（登録商標）等のエチレンオキシド／プロピレンオキシドブロックポリマーを有するＣ１２〜Ｃ１８アルコール及びＣ６〜Ｃ１２アルキルフェノール縮合体、
ｄ）Ｓｉｎｇｌｅｔｏｎ，ｅｔ  ａｌ．に対して２０００年１１月２１日に付与された米国特許第６，１５０，３２２号に記載されたようなＣ１４〜Ｃ２２中鎖分枝状アルコール（ＢＡ）、
ｅ）Ｃｒｉｐｅ，ｅｔ  ａｌ．に対して２０００年１１月２８日に付与された米国特許第６，１５３，５７７号、Ｃｒｉｐｅ，ｅｔ  ａｌ．に対して２０００年２月１日に付与された同第６，０２０，３０３号、Ｃｒｉｐｅ，ｅｔ  ａｌ．に対して２０００年７月２５日に付与された同第６，０９３，８５６号に記載されたようなＣ１４〜Ｃ２２中鎖分枝状アルキルアルコキシラート（ＢＡＥｘ）（式中、ｘは、約１〜３０である）、
ｆ）Ｐａｎ及びＧｏｓｓｅｌｉｎｋに対して１９９４年７月２６日に付与された米国特許第５，３３２，５２８号、ＰＣＴ国際公開特許第９２／０６１６２（Ａ１）号（Ｍｕｒｃｈ，ｅｔ  ａｌ．、１９９２年４月１６日公開）、同第９３／１９１４６（Ａ１）号（Ｆｕ，ｅｔ  ａｌ．、１９９３年９月３０日公開）、同第９３／１９０３８（Ａ１）（Ｃｏｎｎｅｒ，ｅｔ  ａｌ．、１９９３年９月３０日公開）及び同第９４／０９０９９（Ａ１）（Ｂｌａｋｅ，ｅｔ  ａｌ．、１９９４年４月２８日公開）に記載されたようなポリヒドロキシ脂肪酸アミド、
ｇ）Ｓｃｈｅｐｅｒ  ａｎｄ  Ｓｉｖｉｋに対して２００２年１１月１９日に付与された米国特許第６，４８２，９９４号及びＰＣＴ国際公開特許第０１／４２４０８（Ａ２）（Ｓｉｖｉｋ，ｅｔ  ａｌ、２００１年６月１４日公開）に記載されたようなエーテル末端保護されたポリ（オキシアルキル化）アルコール界面活性剤。
【００３０】
カチオン性界面活性剤の非限定的な例には、四級アンモニウム界面活性剤が挙げられ、これは最高２６の炭素原子を含む。存在する場合、カチオン性界面活性剤は典型的に約０．７５％〜約５％重量％である。
【００３１】
ａ）米国特許第６，１３６，７６９号で論じられているような、アルコキシラート四級アンモニウム（ＡＱＡ）界面活性剤；
ｂ）第６，００４，９２２号で論じられているような、ジメチルヒドロキシエチル四級アンモニウム；
ｃ）国際公開第９８／３５００２号、同第９８／３５００３号、同第９８／３５００４号、同第９８／３５００５号、及び同第９８／３５００６号で論じられているようなポリアミンカチオン性界面活性剤、
ｄ）米国特許第４，２２８，０４２号、同第４，２３９，６６０号、同第４，２６０，５２９号、及び米国特許第６，０２２，８４４号で論じられているようなカチオン性エステル界面活性剤類；並びに、
ｅ）米国特許第６，２２１，８２５号及び国際公開第００／４７７０８号で論じられているようなアミノ界面活性剤類、特に、アミドプロピルジメチルアミン。
【００３２】
双極性界面活性剤の非限定例としては、二級及び三級アミン誘導体、複素環式二級及び三級アミン誘導体、又は四級アンモニウム、四級ホスホニウム若しくは三級スルホニウム化合物の誘導体が挙げられる。双極性界面活性剤の例については、米国特許第３，９２９，６７８号（Ｌａｕｇｈｌｉｎ  ｅｔ  ａｌ．、１９７５年１２月３０日発行）、１９段３８行〜２２段４８行を参照のこと；アルキルジメチルベタイン及びココジメチルアミドプロピルベタイン、Ｃ８〜Ｃ１８（好ましくはＣ１２〜Ｃ１８）アミンオキシド並びにスルホ及びヒドロキシベタインを含めたベタイン、例えば、アルキル基がＣ８〜Ｃ１８、好ましくはＣ１０〜Ｃ１４であることができるＮ−アルキル−Ｎ，Ｎ−ジメチルアミノ−１−プロパンスルホネートが挙げられる。
【００３３】
両性界面活性剤の非限定的な例としては、二級又は三級アミン類の脂肪族誘導体、あるいは複素環式二級及び三級アミン類の脂肪族誘導体が挙げられ、ここで、脂肪族基は、直鎖であっても分枝鎖であってもよい。通常、脂肪族置換基の１つは、少なくとも約８個の炭素原子、典型的には約８〜約１８個の炭素原子を含有し、少なくとも１つが、アニオン水溶性基、例えば、カルボキシ基、スルホネート基、サルフェート基等を含有する。例えば、両性界面活性剤の例については、米国特許第３，９２９，６７８号（Ｌａｕｇｈｌｉｎ  ｅｔ  ａｌ．、１９７５年１２月３０日発行）の１９段、１８〜３５行を参照のこと。
【００３４】
半極性非イオン性界面活性剤の非限定例としては、約１０〜約１８個の炭素原子のアルキル部分１個と、約１〜約３個の炭素原子を含有するアルキル基及びヒドロキシアルキル基からなる群から選択される部分２個とを含有する水溶性アミンオキシド、約１０〜約１８個の炭素原子のアルキル部分１個と、約１〜約３個の炭素原子を含有するアルキル基及びヒドロキシアルキル基からなる群から選択される部分２個とを含有する水溶性ホスフィンオキシド、並びに、約１０〜約１８個の炭素原子のアルキル部分１個と、約１〜約３個の炭素原子のアルキル及びヒドロキシアルキル部分からなる群から選択される部分１個とを含有する水溶性スルホキシドが挙げられる。国際公開第０１／３２８１６号、米国特許第４，６８１，７０４号、及び同第４，１３３，７７９号を参照のこと。
【００３５】
ジェミニ界面活性剤は、分子当たり、少なくとも２個の疎水性基と少なくとも２個の親水性基が導入された化合物である。これらは文献で、例えば、Ｃｈｅｍｔｅｃｈ，Ｍａｒｃｈ  １９９３，ｐｐ．３０〜３３及びＪ．Ａｍ．Ｃｈｅｍ．Ｓｏｃ．，１１５，１００８３〜９０（１９９３）、並びに本明細書で引用された参照において「ジェミニ界面活性剤」として知られるようになった。
【００３６】
これらの界面活性剤は、通常、所望する任意の量及び品質を、世界のさまざまな供給元から容易に入手できる商品である。
【００３７】
洗濯洗剤が、細菌で汚染された布地と共に、その洗浄液中に本明細書に記載の試験毎に６時間、２５℃で浸漬させて細菌の増殖を抑制することは不可欠である。これは、洗浄液中に浸漬させるプロセス中に悪臭を発生させないようにするためである。
【００３８】
すすぎ組成物は当該分野において周知であり、典型的に洗濯酢（laundy sour）、すすぎ補助剤、洗濯リンス等が挙げられる。すすぎ組成物は典型的に、界面活性剤の残留物の低減、消泡、洗濯洗剤から残っているアルカリｐＨの中和に特に向けられている成分を含有する。泡抑制又は泡消機能を有さない布地コンディショナー及び柔軟仕上げ剤は、それらが、本明細書の洗濯システムに重要である水又は労力の節約をもたらさないであろうために、本明細書のすすぎ組成物の範囲には含まれないということに注目することは重要である。したがって、すすぎ組成物は典型的に０．０１重量％〜１５重量％、又は０．１重量％〜５重量％のすすぎ組成物の濃度で存在する泡抑制系を含有する。本明細書で使用されるのに好適な泡抑制系は、シリコーン消泡化合物及び２−アルキルアルカノール消泡化合物を含む、任意の周知の消泡化合物を含む。有用なシリコーン消泡化合物はシロキサン、特にトリメチルシリルエンドブロック単位を有するポリジメチルシロキサンである。その他の好適な消泡化合物としては、モノカルボキシル脂肪酸及びその可溶性の塩類が挙げられ、これは米国特許第２，９５４，３４７号に記載されている。好ましい粒子状泡抑制系は、欧州特許公開第２１０  ７３１  Ａ及び同第２１０  ７２１  Ａ（両方ともＤｏｗ  Ｃｏｒｎｉｎｇ）に記載されている。
【００３９】
本明細書に有用ないくつかの非限定的なすすぎ組成物の例は、例えば米国特許第４８２８７５０号（Ｓｉｍｉｏｎ，ｅｔ  ａｌ．、１９８９年５月９日公開）、国際公開第０２／７２７４５号（ＤｅＭｅｙｅｒｅ，ｅｔ  ａｌ．、２００２年９月１９日公開）、同第０６／１１３６５８号（Ｆｒａｎｋｅｎｂａｃｈ，ｅｔ  ａｌ．、２００６年１０月２６日公開）、同第０１／９８４４７（Ａ３）号（Ｐｒｉｃｅ，ｅｔ  ａｌ．、２００１年１２月２７日公開）、同第０３／０１６４４７号（ＤｅＭｅｙｅｒｅ、２００３年２月２７日公開）、同第０３／０９７７８１号（Ｂｅｔｔｉｏｌ，ｅｔ  ａｌ．、２００３年１１月２７日公開）、同第０３／０９７７７６号（Ｂｅｔｔｉｏｌ，ｅｔ  ａｌ．、２００３年１１月２７日公開）、同第０１／２１７４７号（Ｂｅｔｔｉｏｌ，ｅｔ  ａｌ．、２００１年３月２９日）に記載されている。
【００４０】
すすぎ組成物は、アニオン性界面活性剤スカベンジャー、例えば布地からアニオン性界面活性剤を除去するカチオン性又は双極性イオン部分、すすぎ溶液等を更に含有してもよい。特定の水溶性カチオン性部分、例えばカチオン性分子、双極性分子、ベタイン等はこの機能を実施することができる。いくつかの場合では、このようなアニオン性界面活性剤スカベンジャーは、それを布地及び／又はすすぎ溶液から除去するために、アニオン性界面活性剤と共にコアセルベートを形成してもよい。例えば、２００２年１２月１０日にＣｏｏｐｅｒ，ｅｔ  ａｌ．付与された米国特許第６，４９２，３２２号に詳述されているカチオン性ポリマーを参照のこと。
【００４１】
すすぎ組成物はまた、柔軟化、布地維持、芳香剤等などの追加的な効果を提供してもよい。本明細書の実施形態では、すすぎ組成物は、例えば柔軟性などの布地コンディショニング効果も提供する。本明細書の実施形態では、すすぎ組成物は布地柔軟化活性物質、例えばシリコーン系及び／又は四級アンモニウム系柔軟化活性物質を含有する。このような化合物及び配合は当該技術分野において周知である。
【００４２】
本明細書の洗濯洗剤及び／又はすすぎ組成物は、ビルダー、キレート、移染抑制剤、染料、芳香剤、及びこれらの混合物など追加的な補助成分を含有してもよい。大抵の場合では、洗濯洗剤及びすすぎ組成物は１つ以上の芳香剤をそのな中に含有する。
【００４３】
洗濯洗剤は典型的に、少なくとも約１重量％のビルダー、好ましくは約５重量％から、より好ましくは約１０重量％から約８０重量％まで、好ましくは約５０重量％まで、より好ましくは約３０重量％までの洗剤ビルダーを含む。ビルダー類には、ポリホスフェートのアルカリ金属塩、アンモニウム塩及びアルカノールアンモニウム塩、アルカリ金属シリケート、アルカリ土類及びアルカリ金属の炭酸塩、アルミノシリケートビルダーポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の様々なアルカリ金属塩、アンモニウム塩及び置換アンモニウム塩、並びにメリト酸、コハク酸、オキシジコハク酸、ポリマレイン酸、ベンゼン１，３，５−トリカルボン酸、カルボキシメチルオキシコハク酸などのポリカルボキシレート、並びにこれらの可溶性塩が含まれるが、これらに限定されない。
【００４４】
洗濯洗剤は、その中にキレートも含有してもよい。キレートは、水槽中の重金属混入又は水の硬度（カルシウム及びマグネシウムイオンなど）による有害反応を、金属イオンと結合することにより抑制する。多座配位子はいずれもキレート化剤として好適である。例えば、好適なキレート化剤としては、カルボン酸塩、リン酸塩、ホスホン酸塩、多官能置換された芳香族化合物、ポリアミン、生分解性化合物、これらのキレート化剤のアルカリ金属、アンモニウム又は置換されたアンモニウム塩、又は錯体、及びこれらの混合物が挙げられるが、これらに限らない。好適なキレート化剤及び使用濃度の更なる例は、米国特許第３，８１２，０４４号、同第４，７０４，２３３号、同第５，２９２，４４６号、同第５，４４５，７４７号、同第５，５３１，９１５号、同第５，５４５，３５２号、同第５，５７６，２８２号、同第５，６４１，７３９号、同第５，７０３，０３１号、同第５，７０５，４６４号、同第５，７１０，１１５号、同第５，７１０，１１５号、同第５，７１２，２４２号、同第５，７２１，２０５号、同第５，７２８，６７１号、同第５，７４７，４４０号、同第５，７８０，４１９号、同第５，８７９，４０９号、同第５，９２９，０１０号、同第５，９２９，０１８号、同第５，９５８，８６６号、同第５，９６５，５１４号、同第５，９７２，０３８号、同第６，１７２，０２１号、及び同第６，５０３，８７６号に記載されている。存在する場合、キレートは典型的に約０．０１重量％〜約１０重量％、又は約０．１重量％〜約５重量の洗濯洗剤である。
【００４５】
適したポリマー移染抑制剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の洗浄組成物中に存在する場合、移染抑制剤は約０．０００１重量％〜約１０重量％、又は約０．０１重量％〜約２重量％の濃度で存在する。
【００４６】
本明細書の実施形態では、洗濯洗剤及びすすぎ組成物は、洗濯キットとして一緒に販売される。本明細書の実施形態では、洗濯キットは所定の数の洗濯洗剤の投与量及び所定の数のすすぎ組成物の投与量を含む。そのような場合では、系の使用を促進するために、所定の数の洗濯洗剤の投与量はしばしば所定の数のすすぎ組成物の投与量に等しい。しかしながら、他の場合では、例えば非常に汚れた布を洗浄するために、時には所定の数の洗濯洗剤の投与量は、所定の数のすすぎ組成物の投与量を超える場合があるということが考えられる。
【００４７】
細菌測定方法
細菌の増殖は、浸漬させる工程の後に洗浄液及び／又は布地の匂いを嗅ぐことによって容易に測定することができる。布地及び／又は洗浄液が、一般的なヒトの鼻に対して臭い匂い（例えば、ロッカールーム、古い汗臭い靴下、かび、又はひどい体臭）がした場合、細菌における増殖があり、したがって、本明細書で使用される表現のようには細菌の増殖が抑制されなかったということを当業者は理解するであろう。浸漬させる工程の後に、通常のヒトの鼻に対して、悪臭がほとんどない又は全くない場合、細菌の増殖は、本明細書で使用される表現のように抑制されたものと考えられる。この試験は多少主観的と思われるかもしれないが、それは大まかな判断には非常に正確であり十分である。細菌の測定の更に具体的な方法は、もちろん当該技術分野において既知であり、細菌の力価、及び次いで、寒天平板上で希釈された細菌の増殖を一般的に使用する。これらは時間と労力がかかるが、それらは当該技術分野において標準であり、大概の高校又は大学の生物実験室で行うことができる。培養後、コロニーが数えられ、試料及び／又は系中の細菌の総量を推定するために外挿される。本発明の場合では、寒天が、悪臭を作り出す種類の細菌を担持する限り、及び培養時間が２５℃で少なくとも６時間である限り、いずれかのこのような方法が十分である。
【００４８】
基準になる細菌計数は、布地が洗濯される前に布地上に存在する細菌の数である。最初に、基準になる細菌計数が、汚染された布地、例えば、洗浄液に加えられる前の汗臭いシャツを直接サンプリングすることによって行われる。試料は最も汚染された部分、例えば腋の下の領域から取られるべきである。細菌試料は、当該技術分野において既知の方法によって布地から分離され、シャツ上の細菌総数が外挿及び／又は計算される。このような測定では、シャツの他の部分上の細菌は、腋の下からの部分と比較してごくわずかであると考えられ、大まかな測定では他の位置からのそのような細菌は無視してもよい。しかしながら、染色（staining）技法として既知の、より正確な測定が要求される場合では、シャツ上の細菌の濃度及び位置を容易に見分けることができ、そのような測定は基準になる細菌計数を定めることができる。
【００４９】
あるいは、汚染された布地は、洗濯前に、既知の培養からの既知の数の細菌で「投与」されてもよい。このような場合では、細菌投与（bacteria does）の量は、実際の洗濯物上で発見されたものの近似であるべきであり、基準になる細菌計数を表す。
【００５０】
培養後、洗浄液はサンプリングされ、必要に応じて滴定され、培養された細菌の計数を定めるための計数された細菌は（必要な場合は更なる培養を伴って）、布地が洗浄液中に２５℃で６時間浸漬された後に洗浄液の合計体積中の細菌の数として本明細書では定義される。
【００５１】
洗濯洗剤は、悪臭を低減する又は防止するために、洗浄液中の細菌の増殖を抑制すべきである。したがって、「細菌の増殖を抑制する」とは、２５℃で６時間浸漬させた後、本発明の洗浄液で培養された細菌計数は、同じ長さの時間かつ同じ条件下で、布地が水中に浸漬された比較可能な系によるものよりも少なくあるべきである、ということを意味する。典型的に、これは上記のとおり布地及び洗浄液の匂いを嗅ぐことによって測定される。本明細書の実施形態では、洗浄液中の培養された細菌の総数は、２５℃で６時間浸漬すると、基準になる細菌計数の１０倍以下、又は基準になる細菌計数以下である。一番少ない、可能性のある培養された細菌の総数は０又は検出閾値未満であり、これは洗浄液中で、したがって恐らく布地上で実質的に全細菌が殺菌されていることを意味するものとして当業者は理解する。本明細書の実施形態では、細菌の増殖の抑制は、ヒトの鼻によって検出可能な悪臭がないことによって明らかである。
【００５２】
使用方法
洗濯洗剤方法及び洗濯洗剤系の使用は、製造メーカーによって推奨された一般的な投与量及び／又は希釈物で行われる。本発明はまた、本明細書に記載の洗濯システムを使用し、洗濯システムを提供する工程と、水を洗い桶に加える工程と、洗濯洗剤を洗い桶中に分散させる工程と、布地を洗い桶に加える工程と、水と洗濯洗剤を組み合わせることによって洗浄液を形成する工程と、布地を洗浄液中に約３０分〜約１２時間の洗浄時間の間浸漬させて、浸漬させた布地を形成する方法と、浸漬させた布地を洗浄液から取り出す工程と、洗浄液を浸漬させた布地から除去する工程と、すすぎ組成物をすすぎ桶中の水中に分散させてすすぎ溶液を形成する工程と、浸漬させた布地をすすぎ溶液に加える工程と、浸漬させた布地をすすぎ溶液中に約１分〜約１時間のすすぎ時間の間浸漬させて、すすいだ布地を形成する工程と、すすいだ布地をすすぎ溶液から取り出す工程と、すすぎ溶液をすすいだ布地から除去する工程と、すすいだ布地を乾燥させる工程とを含む、布地を手洗いする方法を含む。例えば、洗濯洗剤及び／又は布地の前若しくは後のいずれかで水が洗い桶に加えられるとき（ここで、洗い桶及びすすぎ桶は同じ桶である）等、この基本的なプロセスの多くの変形が可能であるということを当業者は理解するであろう。
【００５３】
本明細書の洗濯洗剤は、手洗いの環境及び硬水条件における使用に特に適しており、ここで、水の硬度は、約１０ｐｐｍ〜約６００ｐｐｍ、又は約１５ｐｐｍ〜約３４０ｐｐｍ、又は約１７ｐｐｍ〜約３００ｐｐｍ、又は約２０ｐｐｍ〜約２３０ｐｐｍのＣａ２＋、Ｍｇ２＋等の又はＣａ２＋及びＭｇ２＋等の硬水イオンである。手洗いに関して、洗濯洗剤は一般的に、容器内に洗濯洗剤を洗浄水と共に配置することにより、重量で約１：１５０〜約１：１０００、又は約１：２００〜約１：５００の率で希釈して、洗浄液を形成する。すすぎ組成物は一般的に、手洗いすすぎのための桶中で約１〜約１００００倍、又は約１０〜約５０００倍、又は約３００〜約６００倍に希釈される。
【００５４】
洗浄及び／又はすすぎの桶は一般的に正方形、楕円形、又は円形であり、深さよりも幅広さを有する。洗浄液及び／又はすすぎ溶液を形成するために使用される水は、典型的には、容易に入手可能な水なら何でも、例えば、水道水、河川水、井戸水等である。水の温度は、約２℃〜約５０℃、又は約５℃〜約４０℃、又は１０℃〜４０℃であり得るが、より高い温度が浸漬及び／又は前処理のために使用されてもよい。
【００５５】
本明細書の特定の実施形態では、洗浄液及び／又はすすぎ溶液は、浸漬された布地から絞ることによって除去される。本明細書の実施形態では、本方法は、例えば、布地をすすぎ溶液に１回以上浸すことによって（すなわち、布地を上げ、次いでそれを下げることによって）、すすぎ溶液を攪拌する工程を更に含む。本明細書の実施形態では、布地は洗浄液にも浸されてもよいが、しかしながら、そのような浸すことは、布地をこすり洗いすることには少しもならないということを当業者は理解する。本明細書の実施形態では、布地は汚れを含み、浸漬された布はその汚れを除去するためにこすり洗いされてはいない。
【００５６】
典型的な既存の手洗い方法は、布地を洗浄液に加える前に、事前に湿潤させるが、本明細書の別の実施形態では、布地はいずれかの事前に湿潤させることなく、布地は洗い桶に加えられる。これは、布地は実質的に乾燥しており、それには意図的に加えられたいかなる水もないということを意味するが、例えば汗、汚れ等からの、いくらかの水又は水分が布地中に存在する場合がある。理論に束縛されることを意図しないが、これは、殺菌剤を含む洗浄液が、最初から布地によりよく吸収されるということを確実にするため、これは特に驚きであり、有利であるものと考えられる。これは界面活性剤が浸漬時間中に汚れを取り、それらを布地から除去する能力を改善することができる。本明細書の実施形態では、浸漬させた布地が汚れを除去するためにこすり洗いされず、それによって布地の摩耗を低減することにより、布地の耐用期間を延ばす。本明細書の実施形態では、洗濯システムは洗濯キットを含み、洗濯洗剤及びすすぎ組成物は一緒に販売され、洗濯キットは所定の数の洗濯洗剤の投与量及び所定の数のすすぎ組成物の投与量を含む。
【００５７】
本明細書の実施形態では、乾燥させる工程は、すすいだ布地を吊るすことを含み、典型的にはすすいだ布地は屋外の物干し用ロープ上で、しばしば太陽の光の下で吊るされる。
【００５８】
本明細書の実施形態では、洗浄時間は約１時間〜約１０時間、又は約２時間〜約８時間、又は約４時間〜約７時間である。本明細書の実施形態では、洗浄液は洗浄時間中に透明になる。そのような場合、汚れ及び他の微粒子は沈降物として洗い桶の底に定着する場合がある。本明細書の実施形態では、すすぎ時間は約２分〜約３０分、又は約３分〜約２０分、又は約４分〜約１０分である。本明細書の実施形態では、浸漬された布地はすすぎ溶液中に一度浸漬され、水を用いる更なるすすぎ工程は行われない。そのような方法は水の節約を最大化する。
【００５９】
洗濯洗剤及び／又はすすぎ組成物は、粉末、ゲル、液体、又は固体（すなわち、立方体）など、別個に任意の既知の便利な形態である。本明細書の実施形態では、洗濯洗剤は粉末化されている及び／又は顆粒形態であり、その一方ですすぎ組成物は液体の形態である。
【実施例】
【００６０】
（実施例１）
従来のビルダー、キレート、ｐＨ緩衝剤等に加えて、２．６％の漂白剤（過ホウ酸塩＋ノナノイルオキシベンゼンスルフォネート）、０．３％の活性酵素（プロテアーゼ、セルラーゼ混合物）、及び２１％のＬＡＳ界面活性剤を含有する、市販の洗濯洗剤（Ｐｈｉｌｉｐｐｉｎｅｓで販売されているＡｒｉｅｌ）を洗濯洗剤：水の重量比が１：２５０で洗い桶中に事前に溶解させる。室温（約２５℃）の水を先ず加え、次いで、その中に洗濯洗剤を分散させ、手によって穏やかに攪拌しながら、不透明な洗浄液を形成する。一般的な荷重の洗濯物（約５ｋｇの、デニムパンツ、Ｔシャツ、下着等）を混合し、この洗浄液に加え、運動による汗臭いＴシャツも含んだ。洗浄液は一晩、６時間にわたって、浸漬させて放置した。デニムパンツ及びＴシャツを洗浄液に２〜３回浸す間、実際にこすり洗いは行わない。
【００６１】
約４時間後、洗浄液は底部でいくらかの沈降物を有して透明になった。６時間の浸漬の後に、ヒトの鼻によって悪臭は検出されていない。浸漬させた布地を洗浄液から取り出し、過剰な洗浄液を手によって絞り出す。
【００６２】
０．３％のシリコーン泡抑制剤、５％の布地柔軟活性物質、及び他の従来の柔軟仕上げ剤成分を含有するすすぎ組成物（Ｐｈｉｌｉｐｐｉｎｅｓで市販のＤｏｗｎｙ  １Ｂａｎｌａｗ）を水で希釈することによって、すすぎ溶液を調製する。３３ｍＬのすすぎ組成物を１５Ｌの水に加えてすすぎ溶液を形成する。絞られた、浸漬させた布地をこのすすぎ溶液に加え、２回浸して、５分間浸漬させ、すすいだ布地を形成する。すすいだ布地を、次いですすぎ溶液から取り出し、絞る。布地は清浄及び爽やかな匂いがし、知覚可能な悪臭はない。すすいだ布を次いで従来の物干しロープ上で太陽の光の下で吊るす。布は、摩耗が低減され、目立つ悪臭もなく、目に見える汚れの全てが全て除去されて清浄である。この布地を洗浄する人はその手に洗濯に関連する皮膚擦過傷がほとんどないか、又は全くない。
【００６３】
１つは洗浄液用、１つはすすぎ溶液用の、合計２つの桶の水が使用される。
【００６４】
（実施例２）
比較例では、界面活性剤は含有するが、漂白剤の入っていない洗剤組成物（Ｐｈｉｌｉｐｐｉｎｅｓで市販のｇｒａｎｕｌａｒ洗剤）を同様な濃度で使用するということを除き、実施例１によるプロセスに従う。洗浄液中に６時間浸漬後、洗浄液及び布地で明らかに容易に知覚可能な悪臭がある。更に、浸漬後、デニムパンツはまだ汚れており、汚れを除去するために追加的なこすり洗いが必要である。
【００６５】
布地を乾燥後、布地はまだ気づくことのできる悪臭を有しており、しかしそれは、洗浄液中の最初の浸漬後よりも少ない。追加的なこすり洗いが必要であることから、この布地を洗浄する人は、知覚可能な洗濯に関連する皮膚擦過傷をその手に有し、こすり洗いの後に赤くなっている。
【００６６】
（実施例３）
地方の慣習によって、布地を通常の水中で２回すすぎ、かつ布地コンディショナーを３回目のすすぎに加えることを除き、実施例１のプロセスに従う。複数のすすぎ工程のために、布地は実施例１におけるよりも２回多く絞られなくてはならない。布は、目立つ悪臭もなく、目に見える汚れの全てが全て除去されて清浄である。１つは洗浄液用、３つはすすぎ工程用の、合計４つの桶の水が使用される。
【００６７】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００６８】
いずれの文献の引用もこうした文献が本明細書中で開示又は特許請求の範囲に記載されるいずれかの発明に対する先行技術であることを容認するものではなく、また、こうした文献が、単独で、あるいは他のあらゆる参照文献との組合せにおいて、こうした発明のいずれかを参照、教示、示唆又は開示していることを容認するものでもない。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００６９】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の許請求の範囲で扱うものとする。
【国際調査報告】
2011524473.tif 000003
2011524473.tif 000004
2011524473.tif 000005